(57)【要約】【課題】ＲＦＩＤタグを有する光ディスク、磁気ディスクを用いた記憶媒体、磁気テープを用いた記憶媒体等の被収納物を収納する際でも、各被収納物の有無を正確に検知することのできる平面状アンテナ付き棚装置を提供する。【解決手段】この棚装置は、各収納部１１ａ〜１１ｇに収納された薄型プラスチックケース１の厚さ方向一方の面と平面状アンテナの延在方向との成す鋭角が８０°以下となるように構成されている。このため、複数の薄型プラスチックケース１が互いに重ね合わせられるように収納されている場合でも、各平面状アンテナ２２からその厚さ方向に向かって放出された電磁波が各ＣＤ同士の隙間に入射する場合に、その電磁波が各ＣＤの厚さ方向の表面に対して斜めに入射する傾向が強くなり、各ＣＤのＲＦＩＤタグ２が励振され易くなる。【選択図】図１
2011219240.tif 000002
【特許請求の範囲】
【請求項１】
複数の被収納物を収納可能な少なくとも１つの収納部と、所定の電力供給装置に接続される平面状アンテナとを備え、被収納物としてその厚さ方向一方の面に沿った方向に延在する平面状のアンテナを有するＲＦＩＤタグ付きの被収納物を収納する棚装置であって、
収納部に収納された被収納物の厚さ方向一方の面と平面状アンテナの延在方向との成す鋭角が１０°以上８０°以下となるように構成した
ことを特徴とする棚装置。
【請求項２】
前記収納部は前面を開口するとともに所定の高さ寸法を有し、平面状アンテナの延在方向が収納部の下面と平行になるように構成され、
収納部の高さ寸法を被収納物の高さ寸法よりも小さく形成することにより、収納部に収納された被収納物の厚さ方向一方の面と平面状アンテナの延在方向との成す鋭角が１０°以上８０°以下となるように構成した
ことを特徴とする請求項１に記載の棚装置。
【請求項３】
前記収納部は前面を開口するとともに所定の幅寸法を有し、平面状アンテナの延在方向が収納部の下面と平行になるように構成され、
収納部に収納された被収納物の下端の位置を収納部の幅方向に規制する位置規制部が収納部内の幅方向の端側に設けられている
ことを特徴とする請求項１に記載の棚装置。
【請求項４】
前記収納部は前面を開口するとともに所定の幅寸法を有し、平面状アンテナの延在方向が収納部の下面と平行になるように構成され、
収納部に収納された被収納物の下端の位置を収納部の幅方向に規制する複数の突状部または凹状部が収納部の下面に設けられている
ことを特徴とする請求項１に記載の棚装置。
【請求項５】
前記収納部は前面を開口するとともに所定の幅寸法を有し、
前記平面状アンテナが互いに収納部の幅方向に並ぶように複数設けられるとともに、各平面状アンテナが収納部の下面の近傍または下面内に延在方向が該下面と平行になるように配置され、各平面状アンテナには、互いに収納部の幅方向に間隔をおいて配置されるとともに前記所定の電力供給装置からの電力によって電磁波を放出する幅方向一対の平面状のアンテナ部が設けられ、
収納部の上面の近傍または上面内には、各平面状アンテナと上下方向に対向して配置されるとともに、対向している平面状アンテナから放出される電磁波によって共振可能な少なくとも１つの対向アンテナが設けられている
ことを特徴とする請求項１に記載の棚装置。
【請求項６】
前記対向アンテナに、互いに収納部の幅方向に間隔をおいて配置された幅方向一対の平面状のアンテナ部が設けられ、
対向アンテナにおける幅方向一方のアンテナ部が平面状アンテナの幅方向他方のアンテナ部と上下方向に対向し、対向アンテナの幅方向他方のアンテナ部が平面状アンテナの幅方向一方のアンテナ部と上下方向に対向している
ことを特徴とする請求項５に記載の棚装置。
【発明の詳細な説明】
【技術分野】
【０００１】
本発明は、例えばＣＤやＤＶＤ等の光ディスク、フレキシブルディスクやハードディスク等の磁気ディスクを用いた記憶媒体、オーディオ用カセットテープやビデオ用カセットテープ等の磁気テープを用いた記憶媒体の収納に好適に用いられる平面状アンテナ付き棚装置に関する。
【背景技術】
【０００２】
一般に、この種の平面状アンテナ付き棚装置としては、図１８に示すように、金属製の棚本体２００と、棚本体２００の複数の収納部２０１の各棚板２０２上に敷き詰められた複数の平面状アンテナ装置２１０とを備え、平面状アンテナ装置２１０が図示しないリーダ／ライタ装置に接続されているものが知られている。この棚装置では、各収納部２０２に収納される各書籍Ｂの表紙または裏表紙に平面状のＲＦＩＤタグ（Radio Frequency Identification Tag）が貼付されており、リーダ／ライタ装置が各平面状アンテナ装置２１０を介してその収納部２０２内の各書籍ＢのＲＦＩＤタグと通信することにより、収納部２０１ごとに何の書籍Ｂが配置されているかを検知するようになっている。
【０００３】
ここで、各書籍Ｂは主に素材として紙が使われていることから、各平面状アンテナ装置２１０から放出される電磁波が各書籍ＢのＲＦＩＤタグに到達し易く、また、各書籍ＢのＲＦＩＤタグから発信される電波が各平面状アンテナ装置２１０に到達し易い。
【０００４】
一方、図１９に示すように、プラスチック等の絶縁材料から成るケース２３０に各書籍Ｂを入れるとともに、ケース２３０をアンテナ２１０の上に載置し、ケース２３０の側面及び底面にそれぞれ平面状のアンテナ２４０，２５０を取付け、各アンテナ２４０，２５０を電気的に接続するとともに、接続された各アンテナ２４０，２５０の共振周波数を平面状アンテナ装置２１０の発信する電磁波の周波数に一致させるものが知られている（例えば、特許文献１参照。）。この場合、平面状アンテナ装置２１０からの電磁波による各書籍ＢのＲＦＩＤタグの励振が各アンテナ２４０，２５０を介して行われ、各書籍ＢのＲＦＩＤタグから発信される電波が各アンテナ２４０，２５０を介して平面状アンテナ装置２１０に到達する。ここで、各書籍Ｂの表紙または裏表紙に貼付された平面状のＲＦＩＤタグは書籍Ｂの高さ方向（厚さ方向と直交する方向）からの電磁波によっては励振され難く、ＲＦＩＤタグから発信される電波は書籍Ｂの厚さ方向において受信され易い。このため、前述の構成は、各書籍Ｂの厚さ方向にアンテナ２５０を設けることによるＲＦＩＤタグの検知精度の向上を狙っている。
【０００５】
また、図２０に示すように、平面状アンテナ装置２１０を各書籍Ｂの厚さ方向と略平行になるように配置することも可能である。
【先行技術文献】
【特許文献】
【０００６】
【特許文献１】特開２００９−０３８６０１号公報
【発明の概要】
【発明が解決しようとする課題】
【０００７】
ところで、前述のような棚装置では、書籍Ｂの他にもＲＦＩＤタグが貼付されたＣＤやＤＶＤ等の光ディスクを同様に収納する場合がある。
【０００８】
しかしながら、光ディスクは記録層に金属を使用しているので、図２０に示すように、例えば光ディスクが１枚１枚プラスチックの薄型ケース２６０に入れられるとともに、複数の薄型ケース２６０が棚板２０２上に載置されている場合、アンテナ２１０からの電磁波が各光ディスクの記録層によって遮られ、各光ディスクに貼付されているＲＦＩＤタグにアンテナ２１０からの電磁波が到達し難い。また、収納部２０１内に光ディスクが存在することにより、各書籍ＢのＲＦＩＤタグへも電磁波が到達し難くなる。このため、収納部２０１ごとに何の書籍Ｂや光ディスクが配置されているかを正確に検知する上で好ましくない。
【０００９】
また、光ディスクを収容した複数の薄型ケース２６０を前記ケース２３０内に並べるとともに、ケース２３０に前記アンテナ２４０，２５０を取付けた場合でも、各薄型ケース２６０の並んでいる方向に配置されたアンテナ２５０からの電磁波が光ディスクの記録層によって遮られる。このため、各光ディスクに貼付されているＲＦＩＤタグにアンテナ２１０からの電磁波が到達し難く、また、光ディスクが存在することにより他の書籍Ｂへも電磁波が到達し難い。
【００１０】
本発明は前記問題点に鑑みてなされたものであり、その目的とするところは、ＲＦＩＤタグを有する光ディスク、磁気ディスクを用いた記憶媒体、磁気テープを用いた記憶媒体等の被収納物を収納する際でも、各被収納物の有無を正確に検知することのできる平面状アンテナ付き棚装置を提供することにある。
【課題を解決するための手段】
【００１１】
本発明は前記目的を達成するために、複数の被収納物を収納可能な少なくとも１つの収納部と、所定の電力供給装置に接続される平面状アンテナとを備え、被収納物としてその厚さ方向一方の面に沿った方向に延在する平面状のアンテナを有するＲＦＩＤタグ付きの被収納物を収納する棚装置であって、収納部に収納された被収納物の厚さ方向一方の面と平面状アンテナの延在方向との成す鋭角が１０°以上８０°以下となるように構成している。
【００１２】
一例として、被収納物はＣＤの入った薄型プラスチックケースであり、ＣＤの厚さ方向一方の面上にその面に沿うようにＲＦＩＤタグのアンテナが配置され、複数の薄型プラスチックケースが縦置き状態で互いに重ね合わせられるように収納部の棚板上に載置及び収納される場合を想定する。
【００１３】
ここで、平面状アンテナが棚板に平行に配置されることにより、各薄型プラスチックケースが平面状アンテナに対して略垂直に配置されると、各ＣＤ同士の間隔が狭い状態で、各ＣＤが平面状アンテナに対して略垂直に配置され、各ＣＤの厚さ方向一方の面上に配置されているＲＦＩＤタグのアンテナの延在方向も平面状アンテナに対して略垂直となる。このため、例えば平面状アンテナからその厚さ方向に向かって放出された電磁波が各ＣＤの間に入っても、各ＣＤのＲＦＩＤタグのアンテナにはその延在方向と略等しい方向から電磁波が到達することになり、各ＣＤのＲＦＩＤタグが励振され難い。一方、平面状アンテナが収納部の棚板と略垂直に設けられ、各薄型プラスチックケースと略平行に配置されている場合は、各ＣＤが平面状アンテナに対して略平行に配置されることになる。この場合、例えば平面状アンテナからその厚さ方向に向かって放出された電磁波が平面状アンテナに近い１枚目のＣＤによって遮られ、２枚目以降のＣＤ同士の隙間にはＣＤの厚さ方向から電磁波が入射することになるが、各ＣＤ同士の隙間にＣＤの厚さ方向から入射した電磁波はＣＤの内側に向かって進み難く、このため、平面状アンテナから見て２枚目以降のＣＤに貼付されているＲＦＩＤタグが励振され難い。
【００１４】
これに対し、本発明では、収納部に収納された被収納物の厚さ方向の面と平面状アンテナの延在方向との成す鋭角が１０°以上８０°以下となるように構成されているので、平面状アンテナから放出された電磁波が各ＣＤ同士の隙間に入射する場合に、その電磁波が各ＣＤの厚さ方向の表面に対して斜めに入射する傾向が強くなる。このため、各ＣＤのＲＦＩＤタグのアンテナにはその延在方向に対して斜めの方向から電磁波が到達することになり、各ＣＤのＲＦＩＤタグが励振され易くなる。一方、平面状アンテナから放出された電磁波が平面状アンテナに近い１枚目のＣＤによって遮られる場合でも、２枚目以降のＣＤ同士の隙間にＣＤの厚さ方向の表面に対して斜めの方向から電磁波が入射され、入射した電磁波がＣＤの厚さ方向の表面の全体に亘って到達し易くなる。
【発明の効果】
【００１５】
本発明によれば、平面状アンテナから放出された電磁波が各被収納物同士の隙間に入射する場合に、その電磁波が各収納物の厚さ方向の表面に対して斜めに入射する傾向が強くなり、また、平面状アンテナから放出された電磁波が平面状アンテナに近い１つ目の被収納物によって遮られる場合でも、２つ目以降の被収納物同士の隙間に被収納物の厚さ方向の表面に対して斜めの方向から電磁波が入射することになり、入射した電磁波が被収納物の厚さ方向の表面の全体に亘って到達し易くなる。即ち、各被収納物のＲＦＩＤタグが励振され易くなるので、ＲＦＩＤタグを有する光ディスク、磁気ディスクを用いた記憶媒体、磁気テープを用いた記憶媒体等の被収納物を収納した際でも、各被収納物の有無を正確に検知することができる。
【図面の簡単な説明】
【００１６】
【図１】本発明の一実施形態を示す棚装置の正面図
【図２】棚装置の平面図
【図３】棚装置の要部斜視図
【図４】棚装置の側面図
【図５】平面状アンテナの平面図
【図６】平面状アンテナの平面図
【図７】各平面状アンテナ、リーダ／ライタ、制御装置及び各アンテナ装置の接続状態を示すブロック図
【図８】対向アンテナ装置の平面図
【図９】ラックに取付けられた棚装置の正面図
【図１０】棚装置の要部正面図
【図１１】棚装置の要部正面図
【図１２】ＣＤの平面図
【図１３】ＣＤの平面図
【図１４】本実施形態の第１変形例を示す棚装置の要部正面図
【図１５】本実施形態の第２変形例を示す棚装置の要部正面図
【図１６】本実施形態の第３変形例を示す棚装置の要部正面図
【図１７】本実施形態の第４変形例を示す平面状アンテナ装置の平面図
【図１８】従来の棚装置の正面図
【図１９】従来の棚装置の要部正面図
【図２０】従来の棚装置の要部正面図
【発明を実施するための形態】
【００１７】
本発明の一実施形態の平面状アンテナ付き棚装置を図１乃至図１３を参照しながら説明する。以下の説明における方向の説明は図１〜６及び図８〜９に示した方向に準ずる。また、左右方向は幅方向と一致しており、後方向は奥行方向と一致している。
【００１８】
この平面状アンテナ付き棚装置は、棚本体１０と、棚本体１０に取付けられた複数の平面状アンテナ装置２０と、各平面状アンテナ装置２０に接続された電力供給装置としての周知のリーダ／ライタ３０と、リーダ／ライタ３０に接続された制御装置４０と、各平面状アンテナ装置２０と対向するように配置された複数の対向アンテナ装置５０とを備えている。
【００１９】
棚本体１０はプラスチックや木等の絶縁材料から成り、被収納物としてＣＤの入った薄型プラスチックケース１を収納可能な複数の収納部１１ａ〜１１ｇを有する。棚本体１０は、下棚板１０ａと、一対の側板１０ｂと、天板１０ｃと、中棚板１０ｄと、複数の仕切板１０ｅと、背面板１０ｆとを有する。下棚板１０ａ、一対の側板１０ｂ、天板１０ｃ及び背面板１０ｆによって前面を開口した直方体の箱が形成されている。また、中棚板１０ｄによって直方体の箱の中空部が上下に仕切られ、各仕切板１０ｅによって中棚板１０ｄの上側及び下側の各中空部が幅方向に仕切られ、前面を開口した複数の収納部１１ａ〜１１ｇが棚本体１０内に形成されている。ここで、本実施形態では一例として、各収納部１１ａ〜１１ｇの高さ寸法は略１２０ｍｍに、奥行寸法は略２００ｍｍに設定され、各収納部１１ｂ，１１ｃ，１１ｄ，１１ｅ，１１ｆの幅寸法は略２６０ｍｍに、各収納部１１ａ，１１ｄの幅寸法は略１３０ｍｍに設定されている。また、薄型プラスチックケース１の高さ寸法は略１２２ｍｍとなっている。
【００２０】
各収納部１１ａ〜１１ｇ内にはそれぞれ１つまたは２つの位置規制部材１２が設けられ、各位置規制部材１２はプラスチック、木、ガラス等の絶縁材料から成る。各位置規制部材１２は前後方向に延びるように形成され、各位置規制部材１２は各収納部１１ｂ，１１ｃ，１１ｄ，１１ｅ，１１ｆ内の右下及び左下に配置されて、また、収納部１１ａ内では位置規制部材１２は右下に配置され、収納部１１ｄでは位置規制部材１２は左下に配置されている。
【００２１】
各収納部１１ａ〜１１ｇの高さ寸法が各薄型プラスチックケース１の高さ寸法よりも小さく、各収納部１１ａ〜１１ｇ内の幅方向端側且つ下側に位置規制部材１２が設けられているので、各収納部１１ａ〜１１ｇに薄型プラスチックケース１を収納すると、薄型プラスチックケース１が下棚板１１ａ及び中棚板１１ｄに対して傾斜した状態となる。また、傾斜する角度は薄型プラスチックケース１の高さ寸法、各収納部１１ａ〜１１ｇの高さ寸法、各位置規制部材１２の大きさによるが、本実施形態では、薄型プラスチックケース１と下棚板１１ａ及び中棚板１１ｄとの成す鋭角が８０°以下となるように構成されている。
【００２２】
各収納部１１ａ〜１１ｇ内にはそれぞれ複数の突状部１３が設けられ、各突状部１３はプラスチック、木、ガラス等の絶縁材料から成る。各突状部１３は前後方向に延びるように形成され、各収納部１１ａ〜１１ｇの底面に互いに幅方向に間隔をおいて配置されている。即ち、各収納部１１ａ〜１１ｇの底面にはそれぞれ複数の突状部１３が設けられているので、各収納部１１ａ〜１１ｇ内に収納された薄型プラスチックケース１の下端が下棚板１１ａまたは中棚板１１ｄの上で左右方向に位置ずれすることが防止される。このため、薄型プラスチックケース１が下棚板１１ａ及び中棚板１１ｄに対して傾いて収納された際に、その傾きが維持されるように構成されている。尚、本実施形態では前後方向に延びる複数の突状部１３を設けたが、各突状部１３の代わりに前後方向に延びる複数の凹状部を設けることも可能であり、各突状部１３の代わりに半球状の複数の突状部を設けることも可能である。
【００２３】
各収納部１１ｂ，１１ｃ，１１ｄ，１１ｅ，１１ｆ内にはそれぞれ上側位置規制部材１４が設けられ、各上側位置規制部材１４はプラスチック、木、ガラス等の絶縁材料から成る。各上側位置規制部材１４は前後方向に延びるように形成され、各位置規制部材１２は各収納部１１ｂ，１１ｃ，１１ｄ，１１ｅ，１１ｆ内の上面且つ幅方向略中央に取付けられている。即ち、図１１のように、収納部１１ｃ内の左側の範囲に各薄型プラスチックケース１を右側に傾くように収納すると、上側位置規制部材１４が障害となって収納できる薄型プラスチックケース１の数が少なくなるが、図１０のように、収納部１１ｃ内の左側の範囲に各薄型プラスチックケース１を左側に傾くように収納すると、右側に傾ける場合と比較して収納できる薄型プラスチックケース１の数が多くなる。このため、各収納部１１ｂ，１１ｃ，１１ｄ，１１ｅ，１１ｆ内の上面且つ幅方向略中央に上側位置規制部材１４が設けられることにより、各収納部１１ｂ，１１ｃ，１１ｄ，１１ｅ，１１ｆ内における薄型プラスチックケース１の傾きの方向をある程度一定にすることができる。
【００２４】
各平面状アンテナ装置２０は、図５に示すように、平面状の基板２１と、基板２１の厚さ方向一方の面に設けられた平面状アンテナ２２とを有する。基板２１はＰＶＣ、ＰＥＴ、ＡＢＳ、アクリル樹脂、エポキシ樹脂、フッ素樹脂等の絶縁材料から成る。平面状アンテナ２２は銅箔やアルミ箔等の金属薄膜から成り、基板２１の厚さ方向一方の面にエッチング、蒸着等の周知の技術を用いて形成されている。平面状アンテナ２２は互いに幅方向に間隔をおいて配置された幅方向一対の平面状のアンテナ部２２ａと、各アンテナ部２２ａの前端側を接続する接続部２２ｂと、各アンテナ部２２ａの後端側にそれぞれ設けられた一対の給電点２２ｃと、各アンテナ部２２ａの後端側を接続するとともに平面状アンテナ２２の感度を調整するカップラ回路２２ｄとを有する。尚、図６に示すように、各アンテナ部２２ａの中に各アンテナ部２２ａと所定の間隔をおいて設けられた複数の短冊状電極部２２ｅを設けることも可能であり、その他の構成を追加することも可能である。また、カップラ回路２２ｄを省いた構成とすることも可能である。各給電点２２ｃにはそれぞれケーブル２３が接続されるようになっており、各ケーブル２３はリーダ／ライタ３０に接続されるようになっている。また、リーダ／ライタ３０から所定周波数の電力が各給電点２２ｃに供給されると、各アンテナ部２２ｂから所定周波数の電磁波が放出され、平面状アンテナ装置２０の厚さ方向の両方の面側に電磁界が形成されるようになっている。中棚板１０ｄ内には各平面状アンテナ装置２０を挿入するためのスリットが設けられ、各平面状アンテナ装置２０は背面側から中棚板１０ｄのスリット内に挿入されるようになっている。また、各平面状アンテナ装置２０は平面状アンテナ２２が設けられた面が下を向くように挿入され、中棚板１０ｄの上面と各平面状アンテナ２２とが平行に配置される。
【００２５】
制御装置４０はハードディスク、ＲＡＭ、ＣＰＵ、キーボード、マウス等を有する周知のコンピュータから成る。図７に示すように、各平面状アンテナ装置２０の平面状アンテナ２２はケーブル２３を介してリーダ／ライタ３０に接続され、リーダ／ライタ３０は別のケーブルを介して制御装置４０に接続されている。
【００２６】
各対向アンテナ装置５０は各平面状アンテナ装置２０と同じ構成を有するが、リーダ／ライタ３０には接続されていない。各対向アンテナ装置５０は、図８に示すように、平面状の基板５１と、基板５１の厚さ方向一方の面に設けられた対向アンテナ５２とを有する。また、対向アンテナ５２は互いに幅方向に間隔をおいて配置された幅方向一対の平面状のアンテナ部５２ａと、各アンテナ部５２ａの前端側を接続する接続部５２ｂと、各アンテナ部５２ａの後端側にそれぞれ設けられた一対の給電点５２ｃと、各アンテナ部５２ａの後端側を接続するとともに平面状アンテナ２２の感度を調整するカップラ回路５２ｄとを有する。即ち、リーダ／ライタ３０に接続されていないことを除き、各対向アンテナ装置５０は各平面状アンテナ装置２０と同じ構成を有している。また、リーダ／ライタ３０が接続されていないことから、各対向アンテナ装置５０には電力が供給されない。下棚板１０ａ内及び天板１０ｃ内には各対向アンテナ装置５０を挿入するためのスリットが設けられ、各対向アンテナ装置５０は背面側から下棚板１０ａ及び天板１０ｃのスリット内に挿入されるようになっている。また、下棚板１０ａに挿入される各対向アンテナ装置５０は対向アンテナ５２が設けられた面が上を向き、天板１０ｃに挿入される各対向アンテナ装置５０は対向アンテナ５２が設けられた面が下を向く。
【００２７】
また、図１等からわかるように、各平面状アンテナ装置２０の平面状アンテナ２２は互いに幅方向に並ぶように配置され、各対向アンテナ装置５０の対向アンテナ５２も互いに幅方向に並ぶように配置されている。また、各対向アンテナ５２の幅方向一方（例えば右側）のアンテナ部５２ａが各平面状アンテナ２２の幅方向他方（例えば左側）のアンテナ部２２ａと上下方向に対向し、各対向アンテナ５２の幅方向他方のアンテナ部５２ａが各平面状アンテナ２２の幅方向一方のアンテナ部２２ａと上下方向に対向している。さらに、並設された各平面状アンテナ２２のうち幅方向一端（例えば右端）に配置された平面状アンテナ２２の幅方向一方（例えば右側）のアンテナ部２２ａは対向アンテナ５２と上下方向に対向してない。また、並設された各平面状アンテナ２２のうち幅方向他端（例えば左端）に配置された平面状アンテナ２２の幅方向他方（例えば左側）のアンテナ部２２ａも対向アンテナ５２と上下方向に対向してない。
【００２８】
また、各対向アンテナ装置５０の対向アンテナ５２は、平面状アンテナ装置２０の平面状アンテナ２２と同じ構成を有し、平面状アンテナ２２と対向しているので、各平面状アンテナ２２の放出する電磁波によって共振するようになっている。
【００２９】
図１２に示すように、薄型プラスチックケース１内に収納されるＣＤの厚さ方向一方の面（データの記録に使用されない面）にはＲＦＩＤタグ２が形成され、ＲＦＩＤタグ２は、ＣＤの円周方向に巻回されたアンテナ２ａと、アンテナ２ａに接続されたＩＣチップ２ｂとを有する。また、ＩＣチップ２ｂにはＣＤごとに設定された固有の識別信号が格納されており、外部から所定周波数の電磁波を受信すると、ＲＦＩＤタグ２が励振され、励振による起電力によってＩＣチップ２ｂが作動し、外部に向かって識別信号を含む電波を発信するようになっている。尚、図１３に示すように、ＣＤの内周面側の厚さ方向一方の面にアンテナ２ａを形成することも可能である。また、図１２よりも径方向内側且つ図１３よりも径方向外側の位置にアンテナ２ａを設けることも可能である。さらに、ＣＤの表面に直接にアンテナ２ａ及びＩＣチップ２ｂを形成せずに、平面状に形成されたシール状のＲＦＩＤタグをＣＤの厚さ方向一方の面に貼付することも可能であり、この場合でもＲＦＩＤタグのアンテナがＣＤの厚さ方向一方の面に沿う方向に延在することになる。
【００３０】
以上のように構成された棚装置は、例えば複数の収納部１０１ａ，１０１ｂ，１０１ｃを有する金属製のラック１００の中段の収納部１０１ｂに着脱可能に収納されて使用される。尚、他の収納部１０１ａ，１０１ｃには縦置きのアンテナ装置１１０が設けられ、ＲＦＩＤタグが貼付された書籍Ｂが収納されるようになっている。また、各アンテナ装置１１０はリーダ／ライタ３０に接続されている。リーダ／ライタ３０は各平面状アンテナ２２及び各アンテナ装置１１０に所定の順番で電力を供給可能なスイッチ機構を有しており、制御装置４０は各平面状アンテナ２２及び各アンテナ装置１１０に所定の順番で電力を供給するようにリーダ／ライタ３０に指令を出すように構成されている。例えば、上段の収納部１０１ａの左側のアンテナ装置１１０に電力を供給した後、中央のアンテナ装置１１０に電力を供給し、その後右側のアンテナ装置１１０に電力を供給し、次に中断の収納部１１０ａの左側の平面状アンテナ２２に電力を供給した後、中央の平面状アンテナ２２に電力を供給し、その後右側の平面状アンテナ２２に電力を供給するようになっている。また、制御装置４０は、上段の収納部１０１ａ内に配置された各アンテナ装置１１０を使い、上段の収納部１０１ａ内に収納されている各書籍Ｂの有無を検知し、各平面状アンテナ装置２０を使い、中段の収納部１０１ｂ内に収納されている各ＣＤ１の有無を検知し、下段の収納部１０１ｃ内に配置された各アンテナ装置１１０を使い、下段の収納部１０１ｃ内に収納されている各書籍Ｂの有無を検知するようになっている。
【００３１】
ここで、本実施形態では、薄型プラスチックケース１と下棚板１１ａ及び中棚板１１ｄとの成す鋭角が８０°以下となるように構成され、中棚板１０ｄと各平面状アンテナ２２とが平行に配置されていることから、各収納部１１ａ〜１１ｇに収納された薄型プラスチックケース１の厚さ方向一方の面と平面状アンテナの延在方向との成す鋭角が８０°以下となるように構成されている。また、ＣＤの厚さ方向一方の面と薄型プラスチックケース１の厚さ方向一方の面とは略平行になっていることから、ＲＦＩＤタグ２は薄型プラスチックケース１の厚さ方向一方の面に沿った方向に延在している。
【００３２】
このため、図１０のように複数の薄型プラスチックケース１が互いに重ね合わせられるように収納されている場合でも、例えば各平面状アンテナ２２からその厚さ方向に向かって放出された電磁波が各ＣＤ同士の隙間に入射する場合に、その電磁波が各ＣＤの厚さ方向の表面に対して斜めに入射する傾向が強くなる。このため、各ＣＤのＲＦＩＤタグ２のアンテナ２ａにはその延在方向に対して斜めの方向から電磁波が到達することになり、各ＣＤのＲＦＩＤタグ２が励振され易くなる。また、例えば各平面状アンテナ２２の電磁界が幅方向に延びる磁束を有し、その電磁波が、互いに重ね合わせられるように収納された複数の薄型プラスチックケース１のＣＤのうち１つ目の薄型プラスチックケース１内のＣＤによって遮られる場合でも、２つ目以降の各薄型プラスチックケース１内の各ＣＤ同士の隙間にＣＤの厚さ方向の表面に対して斜めの方向から電磁波が入射され、入射した電磁波がＣＤの厚さ方向の表面の全体に亘って到達し易くなる。
【００３３】
このように、本実施形態によれば、各平面状アンテナ２２から放出された電磁波が各ＣＤ同士の隙間に入射する場合に、その電磁波が各ＣＤの厚さ方向の表面に対して斜めに入射する傾向が強くなる。また、各平面状アンテナ２２の電磁界が幅方向に延びる磁束を有し、その電磁波が、互いに重ね合わせられるように収納された複数の薄型プラスチックケース１のＣＤのうち１つ目の薄型プラスチックケース１内のＣＤによって遮られる場合でも、２つ目以降の各薄型プラスチックケース１内の各ＣＤ同士の隙間にＣＤの厚さ方向の表面に対して斜めの方向から電磁波が入射され、入射した電磁波が被収納物の厚さ方向の表面の全体に亘って到達し易くなる。このため、各ＣＤのＲＦＩＤタグ２が励振され易くなるので、ＲＦＩＤタグ２を有するＣＤを収容した薄型プラスチックケース１を棚装置に収納した際でも、各薄型プラスチックケース１の有無を正確に検知することができる。
【００３４】
本実施形態では、各収納部１１ａ〜１１ｇに収納された薄型プラスチックケース１の厚さ方向一方の面と平面状アンテナ２２の延在方向との成す鋭角が８０°以下となるように構成されているが、前記鋭角が１０°以上８０°以下であれば、ＲＦＩＤタグ２を有するＣＤを収容した複数の薄型プラスチックケース１を互いに重ね合わせられるように棚装置に収納した際でも、各薄型プラスチックケース１の有無を良好に検知することができることを、出願人は経験から得ることができた。さらに、前記鋭角が２０°以上７０°以下であれば、ＲＦＩＤタグ２を有するＣＤを収容した複数の薄型プラスチックケース１を互いに重ね合わせられるように棚装置に収納した際に、各薄型プラスチックケース１の有無をより良好に検知することができることを、出願人は経験から得ることができた。
【００３５】
また、各収納部１１ａ〜１１ｇの高さ寸法を薄型プラスチックケース１の高さ寸法よりも小さく形成したので、各収納部１１ａ〜１１ｇ内に収容された薄型プラスチックケース１が平面状アンテナ２２に対して確実に傾いて配置され、薄型プラスチックケース１の厚さ方向一方の面と平面状アンテナ２２の延在方向との成す鋭角を確実に所定角度（例えば８０°）以下にすることができる。
【００３６】
また、各収納部１１ａ〜１１ｇに収納された薄型プラスチックケース１の下端の位置を各収納部１１ａ〜１１ｇの幅方向に規制する位置規制部材１２が各収納部１１ａ〜１１ｇ内の幅方向の端側に設けられているので、各収納部１１ａ〜１１ｇ内に収容された薄型プラスチックケース１が平面状アンテナ２２に対して確実に傾いて配置される。
【００３７】
また、各収納部１１ａ〜１１ｇに収納された薄型プラスチックケース１の下端の位置を各収納部１１ａ〜１１ｇの幅方向に規制する複数の突状部１３が各収納部１１ａ〜１１ｇの下面に設けられているので、各収納部１１ａ〜１１ｇ内に収納された薄型プラスチックケース１が平面状アンテナ２２に対して、前記鋭角が確実に所定角度（例えば１０°以上８０°以下）となるように傾いて配置される。
【００３８】
また、各平面状アンテナ２２が互いに幅方向に並ぶように複数設けられるとともに、各平面状アンテナ２２が各収納部１１ａ〜１１ｇの下面内（中棚板１０ｄ内）に延在方向が該下面と平行になるように配置され、各平面状アンテナ２２には、互いに幅方向に間隔をおいて配置されるとともにリーダ／ライタ３０からの電力によって電磁波を放出する幅方向一対の平面状のアンテナ部２２ａが設けられ、各収納部１１ａ〜１１ｇの上面内（天板１１ｃ内）には、各平面状アンテナ２２と上下方向に対向して配置されるとともに、対向している平面状アンテナ２２から放出される電磁波によって共振可能な対向アンテナ５２が設けられている。このため、対向アンテナ５２が共振することにより、平面状アンテナ２２によって形成された電磁界の上下方向の範囲拡大や電磁界の安定性の向上等の効果が得られ、各薄型プラスチックケース１の有無の正確な検知を行う上で極めて有利である。
【００３９】
また、前記対向アンテナには互いに幅方向に間隔をおいて配置された幅方向一対の平面状のアンテナ部５２ａが設けられ、各対向アンテナ５２における幅方向一方のアンテナ部５２ａが平面状アンテナ２２の幅方向他方のアンテナ部２２ａと上下方向に対向し、対向アンテナ５２の幅方向他方のアンテナ部５２ａが平面状アンテナ２２の幅方向一方のアンテナ部５２ａと上下方向に対向している。このように構成することにより、平面状アンテナ２２によって形成された電磁界の上下方向の範囲拡大や電磁界の安定性の向上等の効果がより確実に得られ、各薄型プラスチックケース１の有無の正確な検知を行う上で極めて有利である。
【００４０】
また、本実施形態では、並設された各平面状アンテナ２２のうち幅方向一端（例えば右端）に配置された平面状アンテナ２２の幅方向一方（例えば右側）のアンテナ部２２ａは対向アンテナ５２と上下方向に対向してない。また、並設された各平面状アンテナ２２のうち幅方向他端（例えば左端）に配置された平面状アンテナ２２の幅方向他方（例えば左側）のアンテナ部２２ａも対向アンテナ５２と上下方向に対向してない。この理由としては、並設された各平面状アンテナ２２のアンテナ部２２ａは隣の平面状アンテナ２２のアンテナ部２２ａが近接している場合、自らが放出した電磁波によって隣の平面状アンテナ２２の平面状アンテナ２２が共振し、また、隣の平面状アンテナ２２によって電磁界が遮られる場合もあるので、電磁界の上下方向の範囲拡大や電磁界の安定性の向上等を目的として対向アンテナ５２を設けているが、隣に平面状アンテナ２２が存在しないアンテナ部２２ａからの電磁界は比較的遮られることが少なく、対向アンテナ５２を設ける必要がないことが挙げられる。このように、対向アンテナ５２を部分的に省くことが可能であることから、製造コストの低減を図る上で有利である。
【００４１】
また、本実施形態では、各収納部１１ａ〜１１ｇは、収納された各薄型プラスチックケース１の厚さ方向一方の面と各平面状アンテナ２２とのなす鋭角が各平面状アンテナ２２の幅方向の中央側に形成されるように構成されている。つまり、図１０に示すように、例えば幅方向の中央に配置された平面状アンテナ装置２０の平面状アンテナ２２に対し、収納部１１ｃの左側に配置された６枚の薄型プラスチックケース１は厚さ方向一方の面が対応する平面状アンテナ２２となす鋭角が左側（平面状アンテナ２２の幅方向の中央側）に形成され、収納部１１ｂの右側に配置された４枚の薄型プラスチックケース１、収納部１１ｆの左側に配置された５枚の薄型プラスチックケース１、及び収納部１１ｆの右側に配置された３枚の薄型プラスチックケース１も、薄型プラスチックケース１の厚さ方向一方の面が平面状アンテナ２２となす鋭角が平面状アンテナ２２の幅方向の中央側に形成されている。出願人は、このように配置することにより、各薄型プラスチックケース１の有無の検知精度を向上できることを経験から得ることができた。尚、本実施形態では、図１１に示すように、収納された各薄型プラスチックケース１の厚さ方向一方の面と各平面状アンテナ２２とのなす鋭角が各平面状アンテナ２２の幅方向の外側に形成される場合に、収納できる薄型プラスチックケース１の数が少なくなる。このため、鋭角が形成される方向が逆の場合でも、薄型プラスチックケース１の数が少なくなるので、各薄型プラスチックケース１の有無を検知する精度を維持することが可能となる。
【００４２】
尚、本実施形態では、各収納部１１ａ〜１１ｇ内の幅方向端側且つ下側に位置規制部材１２が設けられ、各位置規制部材１２は前後方向に延びるように形成されているものを示した。これに対し、各収納部１１ａ〜１１ｇ内の幅方向端側且つ下側に位置規制部が設けられ、例えば位置規制部を設けることによりその部分の収納部の高さ寸法を他の部分よりも小さくする等により、薄型プラスチックケース１が斜めに配置されるようになっていれば、前述と同等の作用効果を達成可能である。
【００４３】
尚、本実施形態では、各収納部１１ａ〜１１ｇの高さ寸法が各薄型プラスチックケース１の高さ寸法よりも小さいものを示したが、各収納部１１ａ〜１１ｇの高さ寸法が各薄型プラスチックケース１の高さ寸法よりも大きい場合でも、各位置規制部材１２と各突状部１３のうち少なくとも何れか一方を設けることにより、各薄型プラスチックケース１が斜めに配置されるように構成することが可能であり、前述と同等の作用効果を達成可能である。
【００４４】
尚、本実施形態では、ＣＤが収容された薄型プラスチックケース１を被収納物として収納するものを示したが、フレキシブルディスクやハードディスク等のように磁気ディスクが所定のケースに収容された記憶媒体や、オーディオ用カセットテープやビデオ用カセットテープ等のように磁気テープがリール状に巻回されてプラスチックのケースに収容されている記憶媒体を被収容物として収容する場合でも、前述と同等の作用効果を達成可能である。
【００４５】
尚、本実施形態では、各平面状アンテナ２２及び各対向アンテナ５２を天板１０ｃ内、中棚板１０ｄ内、及び下棚板１０ａ内に配置したものを示した。これに対し、各平面状アンテナ装置２０を中棚板１０ｄ上に載置する等して、各平面状アンテナ２２を中棚板１０ｄの近傍に配置することも可能であり、各対向アンテナ５２も同様に配置することが可能であり、この場合でも前述と同等の作用効果を達成可能である。
【００４６】
尚、本実施形態では、各ＲＦＩＤタグ２から発信される電波を各平面状アンテナ２２で受信するようにしたものを示したが、各ＲＦＩＤタグ２から発信される電波を受信するアンテナを別途設けることも可能であり、この場合でも前述と同等の作用効果を達成可能である。
【００４７】
尚、本実施形態では、各収納部１１ａ〜１１ｇの高さ寸法等によって、収納された各薄型プラスチックケース１が中棚板１０ｄに対して斜めに配置されるように構成している。これに対し、図１４に示すように、各収納部１１ａ〜１１ｇの高さ寸法を各薄型プラスチックケース１の高さ寸法よりも大きくするとともに、各位置規制部材１２、各突状部１３及び各上側位置規制部材１４を設けない場合でも、各収納部１１ａ〜１１ｇ内に各薄型プラスチックケース１を中棚板１０ｄに対して斜めに傾くように支持する支持部材６０を設けることにより、収納された各薄型プラスチックケース１が中棚板１０ｄに対して斜めに配置されるように構成することが可能であり、この場合でも前述と同等の作用効果を達成可能である。
【００４８】
また、本実施形態では、各平面状アンテナ２２が中棚板１０ｄと平行に配置されているものを示した。これに対し、図１５に示すように、各平面状アンテナ装置２０を中棚板１０ｄと垂直に且つ前後方向に延在するように配置することも可能である。この場合でも、支持部材６０，６１等によって各薄型プラスチックケース１の厚さ方向一方の表面と各平面状アンテナ装置２０の平面状アンテナ２２の延在方向との成す鋭角が１０°以上８０°以下になれば、前述と同等の作用効果を達成可能である。
【００４９】
尚、本実施形態では、平面状アンテナ２２に平面状の一対のアンテナ部２２ａを設けたものを示した。これに対し、アンテナ部２２ａを１つにすることも可能であり、３つ以上にすることも可能である。さらに、平面状アンテナ２２を金属薄膜から成る公知の他の構成の平面状アンテナに変更することも可能であり、これらの場合でも前述と同等の作用効果を達成可能である。
【００５０】
また、本実施形態では、平面状アンテナ２２を金属薄膜から形成したものを示した。これに対し、図１７に示すように、平面状アンテナ２２の代わりに、基板２３ａと、基板２３ａ上に金属の線材を複数回に亘って巻回して成る巻線部２３ｂと、巻線部２３ｂに電力を供給するための一対の給電点２３ｃとから成る平面状アンテナ２３を用いることも可能であり、この場合でも巻線部２３ｂが平面状アンテナとなり、前述と同等の作用効果を達成可能である。
【００５１】
尚、本実施形態では、各薄型プラスチックケース１の厚さ方向一方の表面と各平面状アンテナ２２の延在方向との成す鋭角が１０°以上８０°以下になるように構成したものを示した。これに対し、図１６に示すように、各薄型プラスチックケース１の厚さ方向一方の表面と各平面状アンテナ２２の延在方向との成す鋭角は０°であっても、支持部材６２等によって各薄型プラスチックケース１が互いに上下方向にずれるように配置され、好ましくは幅方向一方から他方に向かって徐々に各薄型プラスチックケース１の位置が高くなるように配置されていれば、各薄型プラスチックケース１に収容されている各ＣＤの各ＲＦＩＤタグ２のアンテナ２ａに電磁波が到達し易く、各薄型プラスチックケース１の有無を正確に検知することができる。
【００５２】
また、支持部材等によって各薄型プラスチックケース１が互いに前後方向にずれるように配置され、好ましくは幅方向一方から他方に向かって徐々に各薄型プラスチックケース１の位置が手前側になるように配置されていれば、各薄型プラスチックケース１に収容されている各ＣＤの各ＲＦＩＤタグ２のアンテナ２ａに電磁波が到達し易く、各薄型プラスチックケース１の有無を正確に検知することができる。
【符号の説明】
【００５３】
１…薄型プラスチックケース、２…ＲＦＩＤタグ、２ａ…アンテナ、２ｂ…ＩＣチップ、１０…棚本体、１０ａ…下棚板、１０ｂ…側板、１０ｃ…天板、１０ｄ…中棚板、１０ｅ…仕切板、１０ｆ…背面板、１１ａ〜１１ｇ…収納部、１２…位置規制部材、１３…突状部、１４…上側位置規制部材、２０…平面状アンテナ装置、２１…基板、２２…平面状アンテナ、２２ａ…アンテナ部、３０…リーダ／ライタ、４０…制御装置、５０…対向アンテナ装置、５１…基板、５２…対向アンテナ、５２ａ…アンテナ部、１００…ラック、１０１ａ〜１０１ｃ…収納部。
【図１】
2011219240.tif 000003
【図２】
2011219240.tif 000004
【図３】
2011219240.tif 000005
【図４】
2011219240.tif 000006
【図５】
2011219240.tif 000007
【図６】
2011219240.tif 000008
【図７】
2011219240.tif 000009
【図８】
2011219240.tif 000010
【図９】
2011219240.tif 000011
【図１０】
2011219240.tif 000012
【図１１】
2011219240.tif 000013
【図１２】
2011219240.tif 000014
【図１３】
2011219240.tif 000015
【図１４】
2011219240.tif 000016
【図１５】
2011219240.tif 000017
【図１６】
2011219240.tif 000018
【図１７】
2011219240.tif 000019
【図１８】
2011219240.tif 000020
【図１９】
2011219240.tif 000021
【図２０】
2011219240.tif 000022